(57)【要約】  本発明のスライドファスナースライドファスナー(10,40,50)は、蝶棒(31,51) が、箱棒(32,32',52) に向けて張り出す張出部(31b,51b) を有し、スライダー(21a,21b) の後端部における左右フランジ部(24)内面間の間隔Ａと前記蝶棒(31,51) のテープ幅方向における寸法の最大値Ｂとの差（間隔Ａ−最大値Ｂ）が、「前記蝶棒(31,51) の最大値Ｂを有する部位に対応する前記箱棒(32,32',52) の部位のテープ幅方向における寸法Ｃ＜（間隔Ａ−最大値Ｂ）＜ファスナーエレメント(15)のエレメント幅Ｄ」の関係を満たすように設定され、前記最大値Ｂは、前記エレメント幅Ｄよりも小さく設定され、蝶棒(31,51) のテープ幅方向の寸法が前記間隔Ａと前記エレメント幅Ｄとの差（間隔Ａ−エレメント幅Ｄ）よりも大きい領域におけるテープ長さ方向の寸法Ｅが、「寸法Ｅ＞（ファスナーエレメント(15)の３ピッチ分の長さ）−（噛合頭部(15a) におけるテープ長さ方向の寸法）×３」の関係を満たすように設定されている。これにより、蝶棒(31,51) の挿し込みが不十分の状態でスライダー(21a) を摺動させても、左右のエレメント列(13)を意図的に噛合させないため、左右エレメント列の不正な噛み合わせに起因して噛合強度が低下することや突き上げ力に対して弱くなることを確実に防止できる。
2010041303.tif 000002
【特許請求の範囲】
【請求項１】
左右一対のファスナーテープ(12)の対向する側縁部に連続状のファスナーエレメント(15)が取着されたファスナーストリンガー(11)と、前記ファスナーエレメント(15)からなる左右のエレメント列(13)に挿通された少なくとも１つのスライダー(21a,21b) と、左右の前記エレメント列(13)のうちの一方のエレメント列(13)の一端部に取着された蝶棒(31,51) と、他方のエレメント列(13)の一端部に取着された箱棒(32,32',52) とを有し、前記スライダー(21a,21b) は、上翼板(22)と下翼板(23)とが案内柱(25)により肩口側前端部で連結され、前記上翼板(22)及び／又は下翼板(22,23) の左右側縁にフランジ部(24)が配され、前記上下翼板(22,23) の後端部に後口(28)を有するスライドファスナー(10,40,50)において、
前記蝶棒(31,51) は、前記エレメント列(13)側の端部領域に、前記箱棒(32,32',52) に向けて張り出す張出部(31b,51b) を有し、
前記スライダー(21a,21b) の後端部における左右の前記フランジ部(24)内面間の間隔Ａと前記蝶棒(31,51) のテープ幅方向における寸法の最大値Ｂとの差（間隔Ａ−最大値Ｂ）が、「前記蝶棒(31,51) の前記最大値Ｂを有する部位に対応する前記箱棒(32,32',52) の部位のテープ幅方向における寸法Ｃ＜（間隔Ａ−最大値Ｂ）＜前記ファスナーエレメント(15)のエレメント幅Ｄ」の関係を満たすように設定され、
前記最大値Ｂは、前記エレメント幅Ｄよりも小さく設定され、
前記蝶棒(31,51) の前記張出部(31b,51b) が形成されている前記端部領域のうち、同蝶棒(31,51) のテープ幅方向の寸法が前記間隔Ａと前記エレメント幅Ｄとの差（間隔Ａ−エレメント幅Ｄ）よりも大きい領域におけるテープ長さ方向の寸法Ｅが、「寸法Ｅ＞（前記エレメント列(13)におけるファスナーエレメント(15)の３ピッチ分の長さ）−（前記ファスナーエレメント(15)の噛合頭部(15a) におけるテープ長さ方向の寸法）×３」の関係を満たすように設定されてなる、
ことを特徴とするスライドファスナー。
【請求項２】
前記エレメント列(13)に、２つの前記スライダー(21a,21b) が、互いの前記後口(28)同士を対向させる向きで挿通され、
前記箱棒(32,32',52) における前記エレメント列(13)側とは反対の端部に、前記スライダー(21a,21b) を停止させるストッパー(32b,52b) が配されてなる、
請求の範囲第１項記載のスライドファスナー。
【請求項３】
前記エレメント列(13)に、１つの前記スライダー(21a) が挿通され、
前記箱棒(32)における前記エレメント列(13)側とは反対の端部に、前記蝶棒(31)を挿入可能な箱体(34)が配されてなる、
請求の範囲第１項記載のスライドファスナー。
【請求項４】
前記箱棒(32,32',52) は、前記蝶棒(31,51) の前記張出部(31b,51b) に向けて突出する突出部(32c,32c',52c)を有し、
前記張出部(31b,51b) は、前記突出部(32c,32c',52c) を嵌入可能な嵌入凹部(31c,51c)を有し、
前記突出部(32c,32c',52c)が前記嵌入凹部(31c,51c)に嵌入した状態で、前記突出部(32c,32c',52c)の前記エレメント列(13)側の端部が、前記蝶棒(31,51) の前記寸法Ｅの範囲内に位置してなる、
請求の範囲第１〜３項のいずれかに記載のスライドファスナー。
【請求項５】
前記箱棒(32,32',52) は、前記蝶棒(31,51) の前記張出部(31b,51b) と対面する箇所よりも下端側のテープ幅方向の寸法が、前記寸法Ｃよりも大きく設定されてなる請求の範囲第１項記載のスライドファスナー。
【発明の詳細な説明】
【技術分野】
【０００１】
本発明は、連続状のファスナーエレメントからなるエレメント列の下端に蝶棒と箱棒とが配されたスライドファスナーに関するものであり、特に、蝶棒の挿し込みが不完全な状態でスライダーを摺動させたときに、左右のエレメント列が互いに不正に噛み合うことを防止できるスライドファスナーに関する。
【背景技術】
【０００２】
衣類における左右前身頃を開閉するためのスライドファスナーとして、左右のエレメント列の下端に、蝶棒、箱棒、及び箱体を備えた開離嵌挿具付きのスライドファスナーが広く用いられている。【０００３】
開離嵌挿具付きのスライドファスナーは、一般的に、一方のエレメント列の下端に蝶棒が連続して配され、他方のエレメント列の下端に箱棒が連続して配されている。また、同スライドファスナーは、蝶棒を嵌挿するための箱体が箱棒の下端部に固設されており、スライダーを箱体と当接する下端位置まで下げた状態で、蝶棒をスライダーを介して箱体に挿抜することが可能に構成されている。【０００４】
従って、このような開離嵌挿具付きのスライドファスナーは、蝶棒を箱体に挿入した後に、スライダーをエレメント噛合方向である上方に向けて摺動させることによって、左右のエレメント列を噛合させる。また、噛合状態にある左右のエレメント列は、スライダーを箱体に向けて下方に摺動させることによって分離し、スライダーが箱体に当接した後に蝶棒を箱体から抜出させることによって、左右のファスナーストリンガーが離間する。【０００５】
また、左右のファスナーストリンガーを噛合・離間させるスライドファスナーとして、前述のような箱体の代わりに、逆開用の下スライダーがエレメント列に挿通されたスライドファスナーも知られている。このスライドファスナーは、通常、上スライダーと逆開き用下スライダーの２つのスライダーが、互いの後口が対向するように尻合わせの状態でエレメント列に挿通されている。また、上下スライダーを箱棒が配されている下端位置まで下げた状態で、蝶棒を上スライダーを介して下スライダーに挿抜可能に構成されている。【０００６】
更に、例えば特開２０００−１０６９１７号公報（特許文献１）には、開離嵌挿具の箱体と逆開き用下スライダーの何れかを選択して用いることによって、上開きタイプ又は両開きタイプに兼用することが可能なスライドファスナーが開示されている。【０００７】
この特許文献１に記載されているスライドファスナー７１は、図１５に箱体７８を用いた場合を示したように、左右一対のファスナーテープ７２の対向する側縁部にコイル状ファスナーエレメント７３が取着されたファスナーストリンガー７４と、同ファスナーエレメント７３からなる左右のエレメント列７５に挿通された図示しないスライダーと、一方のエレメント列７５の端部に取着された蝶棒７６と、他方のエレメント列７５の端部に取着された箱棒７７と、同箱棒７７に嵌装された箱体７８とを有している。【０００８】
前記ファスナーストリンガー７４は、ファスナーテープ７２の端部を補強するための熱可塑性樹脂フィルムからなる補強部７９を有しており、この補強部７９のテープ対向端縁部を適宜大きさで切欠し、その切欠した部分に、熱可塑性樹脂製の蝶棒７６又は箱棒７７が配されている。【０００９】
また、蝶棒７６と箱棒７７には、スライダーのフランジが自由に滑動することが可能な肉薄のガイド部８０が蝶棒７６又は箱棒７７に隣接して設けられており、このガイド部８０の側方に、ファスナーテープ７２の表裏に隆起する直方体状の補強条部８１が設けられている。更に、箱棒７７の先端から補強条部８１の先端にかけて、高さが箱棒７７よりも低く補強条部８１よりも高いストッパー８２が、屈曲した形状でガイド部８０の表面側に成形されている。これらのガイド部８０、補強条部８１、及びストッパー８２は、熱可塑性樹脂を用いて蝶棒７６又は箱棒７７と一体に成形されている。【００１０】
更にまた、前記蝶棒７６は、その先端部側（エレメント列７５側とは反対の端部側）がテープ内側へやや湾曲し、且つ、補強条部８１の蝶棒７６に対向する側壁が凹欠されて、箱体７８又は逆開き用のスライダーに嵌挿し易く形成されている。また、同蝶棒７６のエレメント列７５側の端部には、突部８３が箱棒７７に向けて突設されており、左右のエレメント列７５を噛合させたときに同突部８３が箱棒７７側のエレメント７３と噛合することにより、エレメント列７５の端部における噛合強度を高めている。一方、箱棒７７の表面（上面）の先端部側には複数個の小突起８４が立設されており、これらの小突起８４を利用して、後述する箱体７８が箱棒７７に溶融接合される。【００１１】
このような特許文献１のスライドファスナー７１において、箱棒７７に箱体７８を嵌装する場合、同箱体７８の外形は略方形に形成されており、同箱体７８には、前記ストッパー８２の厚さよりやや狭く、前記ガイド部８０が形成されている部分を挿入可能な図示しない挿入溝が設けられている。また、この箱体７８は、中央に仕切部８５を有しており、その左右に箱棒挿入孔８６と蝶棒挿入孔８７が設けられている。更に、箱棒挿入孔８６の最深部には、前記ストッパー８２を嵌入して係止可能な図示しない係止孔が設けられている。【００１２】
このような箱体７８を箱棒７７に挿入し、箱棒挿入孔８６の最深部に設けた係止孔をストッパー８２に嵌入して箱体７８を固定し、その後、箱体７８の表面側から超音波加工を施して箱棒７７に突設した小突起８４を箱体７８に溶着することによって、スライドファスナー７１の開離嵌挿具が構成される。【００１３】
一方、特許文献１において両開きタイプのスライドファスナー７１を構成する場合には、上開き用上スライダーと逆開き用下スライダーとを、箱棒７７を成形したファスナーストリンガー７４に挿通すれば良い。この場合、上開き用スライダーと逆開き用スライダーとには同じタイプのスライダーを用いることが可能である。【００１４】
このような特許文献１のスライドファスナー７１であれば、特殊な形態のスライダーを用いることなく、１つのスライダー及び開離嵌挿具を備えた上開きタイプのスライドファスナー７１と、１対のスライダーを備えた両開きタイプのスライドファスナーと選択的に効率良く製造することが可能であるため、需要に即応してスライドファスナーを安定して供給することができる。【００１５】
一方、台湾専利公告第５２６７１８号公報（特許文献２）には、ファスナーストリンガーに射出成形された蝶棒及び箱棒を、スライダーに容易に嵌入することが可能で、且つ、スライダーが蝶棒及び箱棒から抜脱することを防止した両開きタイプのスライドファスナーが開示されている。【００１６】
この特許文献２のスライドファスナーでは、左右のエレメント列の一端に上止が配され、他端には蝶棒と箱棒とが配されている。また、箱棒の先端部（エレメント列側とは反対の端部）には、同箱棒のファスナーテープ側の側縁からテープ内側に向けて突出した突出部が形成されている。【００１７】
更に、蝶棒のエレメント列側の端部と箱棒のエレメント列側の端部には、互いに嵌合することが可能な嵌合部が延設されており、左右エレメント列を噛合させたときに蝶棒と箱棒がエレメント列長手方向に移動することを防止している。なお、同スライドファスナーのエレメント列には、蝶棒及び箱棒が成形される前に、上スライダーと下スライダーが予め挿通されている。【００１８】
このような特許文献２のスライドファスナーであれば、蝶棒及び箱棒の成形前に上下スライダーをエレメント列に容易に挿通することができるとともに、エレメント列の端部に配した上止と箱棒に形成した突出部とにより、エレメント列に挿通した上下スライダーが同エレメント列から抜脱することを防止できる。
【特許文献１】特開２０００−１０６９１７号公報
【特許文献２】台湾専利公告第５２６７１８号公報
【発明の開示】
【発明が解決しようとする課題】
【００１９】
このような従来の上開きタイプ又は両開きタイプのスライドファスナーにおいて、エレメント列がコイル状やジグザグ状などの連続状ファスナーエレメントにより構成されている場合、同ファスナーエレメント自体が弾性を有しているため、同スライドファスナーは柔軟性に優れているものの、例えばエレメント列の噛合頭部が外力を受けたときに、その噛合頭部の位置がずれる場合があった。【００２０】
また一般に、従来の上開きタイプ又は両開きタイプのスライドファスナーにおいては、左右のエレメント列を適正に噛合させるためには、蝶棒を箱体又は下スライダー内の所定の位置まで十分に挿し込んだ状態でスライダー（上スライダー）を噛合方向に摺動させることが必要である。【００２１】
即ち、箱体又は下スライダーに蝶棒を所定の位置まで十分に挿し込むことによって、左右のエレメント列を適切に位置合わせすることができ、この蝶棒を十分に挿し込んだ状態でスライダーを摺動させることによって、左右のエレメント列を適正に安定して噛合させることができる。【００２２】
しかしながら、例えば衣服等に前述のような上開きタイプ又は両開きタイプのスライドファスナーが用いられた場合、日常的なスライドファスナーの開閉操作を使用者が無意識で行うことがあり、例えば左右のエレメント列を噛合させるときに、蝶棒を箱体又は下スライダーに十分に差し込まない状態でスライダー（上スライダー）を噛合方向に摺動させることがあった。【００２３】
この場合、エレメント列が連続状ファスナーエレメントにより構成されていると、同ファスナーエレメントが前述のように弾性を有しているため、左右のエレメント列を噛合させたときに、例えば図１６に示したように、箱棒９１に隣接するファスナーエレメント９２は、その噛合頭部９２ａが適正な位置に噛み合わず、その位置がずれた状態で左右のエレメント列９３が強制的に噛み合わせられる。このようにファスナーエレメント９２の噛合頭部９２ａがずれた状態で噛み合わせられると、その部分の噛合強度が著しく低下するため、噛合状態にある左右エレメント列９３がその部分から開くようになる噛合割れが生じ易く、また、同エレメント列９３が突き上げ力に対しても弱くなるという問題があった。【００２４】
また、例えば前記特許文献１に記載されているようなスライドファスナー７１の場合、即ち、蝶棒７６にエレメント列７５端部の噛合強度を高める突部８３が形成されているスライドファスナー７１の場合でも、左右のエレメント列７５を噛合させるときに蝶棒７６を箱体７８又は下スライダーに十分に差し込まない状態でスライダーを摺動させてしまうと、図１７に示したように、箱棒７７に隣接するファスナーエレメント７３の噛合頭部７３ａが突部８３の下側に入り込んでしまい、同ファスナーエレメント７３を適正な位置で噛み合わせることができないという問題があった。【００２５】
更に、前記特許文献２に記載されているスライドファスナーについても同様に、左右のエレメント列を噛合させるときに蝶棒を箱体又は下スライダーに十分に差し込まない状態でスライダーを摺動させると、箱棒に隣接するファスナーエレメントが強制的に不正に噛み合うという問題があった。【００２６】
本発明は上記従来の課題に鑑みてなされたものであって、その具体的な目的は、左右のエレメント列を噛合させるときに、蝶棒を箱体又は下スライダーに十分に差し込まない状態でスライダーを摺動させても、左右のエレメント列が不正に噛合すること、特に、箱棒に隣接するファスナーエレメントが不正に噛み合うことを防止可能なスライドファスナーを提供することにある。
【課題を解決するための手段】
【００２７】
上記目的を達成するために、本発明により提供されるスライドファスナーは、基本的な構成として、左右一対のファスナーテープの対向する側縁部に連続状のファスナーエレメントが取着されたファスナーストリンガーと、前記ファスナーエレメントからなる左右のエレメント列に挿通された少なくとも１つのスライダーと、左右の前記エレメント列のうちの一方のエレメント列の一端部に取着された蝶棒と、他方のエレメント列の一端部に取着された箱棒とを有し、前記スライダーは、上翼板と下翼板とが案内柱により肩口側前端部で連結され、前記上翼板及び／又は下翼板の左右側縁にフランジ部が配され、前記上下翼板の後端部に後口を有するスライドファスナーにおいて、前記蝶棒は、前記エレメント列側の端部領域に、前記箱棒に向けて張り出す張出部を有し、前記スライダーの後端部における左右の前記フランジ部内面間の間隔Ａと前記蝶棒のテープ幅方向における寸法の最大値Ｂとの差（間隔Ａ−最大値Ｂ）が、「前記蝶棒の前記最大値Ｂを有する部位に対応する前記箱棒の部位のテープ幅方向における寸法Ｃ＜（間隔Ａ−最大値Ｂ）＜前記ファスナーエレメントのエレメント幅Ｄ」の関係を満たすように設定され、前記最大値Ｂは、前記エレメント幅Ｄよりも小さく設定され、前記蝶棒の前記張出部が形成されている前記端部領域のうち、同蝶棒のテープ幅方向の寸法が前記間隔Ａと前記エレメント幅Ｄとの差（間隔Ａ−エレメント幅Ｄ）よりも大きい領域におけるテープ長さ方向の寸法Ｅが、「寸法Ｅ＞（前記エレメント列におけるファスナーエレメントの３ピッチ分の長さ）−（前記ファスナーエレメントの噛合頭部におけるテープ長さ方向の寸法）×３」の関係を満たすように設定されてなることを最も主要な特徴とするものである。【００２８】
また、本発明に係るスライドファスナーは、前記エレメント列に、２つの前記スライダーが、互いの前記後口同士を対向させる向きで挿通され、前記箱棒における前記エレメント列側とは反対の端部に、前記スライダーを停止させるストッパーが配されて構成されていることが好ましい。【００２９】
更に、本発明に係るスライドファスナーは、前記エレメント列に、１つの前記スライダーが挿通され、前記箱棒における前記エレメント列側とは反対の端部に、前記蝶棒を挿入可能な箱体が配されて構成されていても良い。【００３０】
更にまた、本発明に係るスライドファスナーにおいて、前記箱棒は、前記蝶棒の前記張出部に向けて突出する突出部を有し、前記張出部は、前記突出部を嵌入可能な嵌入凹部を有し、前記突出部が前記嵌入凹部に嵌入した状態で、前記突出部の前記エレメント列側の端部が、前記蝶棒の前記寸法Ｅの範囲内に位置していることが好ましい。
また、前記箱棒は、前記蝶棒の前記張出部と対面する箇所よりも下端側のテープ幅方向の寸法が、前記寸法Ｃよりも大きく設定されていることが好ましい。
【発明の効果】
【００３１】
本発明に係るスライドファスナーは、蝶棒のエレメント列側の端部領域に、箱棒に向けて張り出す張出部が形成されており、スライダーの後端部における左右のフランジ部内面間の間隔Ａと蝶棒のテープ幅方向における寸法の最大値Ｂとの差（間隔Ａ−最大値Ｂ）が、「前記蝶棒の前記最大値Ｂを有する部位に対応する前記箱棒の部位のテープ幅方向における寸法Ｃ＜（間隔Ａ−最大値Ｂ）＜前記ファスナーエレメントのエレメント幅Ｄ」の関係を満たすように設定されている。【００３２】
また、本発明のスライドファスナーは、前記最大値Ｂは、エレメント幅Ｄよりも小さく設定され、且つ、蝶棒の張出部が形成されている端部領域のうち、同蝶棒のテープ幅方向の寸法が前記間隔Ａとエレメント幅Ｄとの差（間隔Ａ−エレメント幅Ｄ）よりも大きい領域におけるテープ長さ方向の寸法Ｅが、「寸法Ｅ＞（前記エレメント列におけるファスナーエレメントの３ピッチ分の長さ）−（前記ファスナーエレメントの噛合頭部におけるテープ長さ方向の寸法）×３」の関係を満たすように設定されている。【００３３】
従来の開離嵌挿具を有する上開きタイプのスライドファスナーや、逆開き用の下スライダーを有する両開きタイプのスライドファスナーの中には、エレメント列端部の噛合強度を高めることを意図して、例えば前記特許文献１や前記特許文献２に記載されているような、蝶棒におけるエレメント列側の端部に、箱棒側に突出した突部や嵌合部が設けられているスライドファスナーが知られている。【００３４】
しかし、これらの従来のスライドファスナーでは、蝶棒を箱体又は逆開き用下スライダーに円滑に挿入することや、また、スライダー（上スライダー）を円滑に摺動させることを考慮して蝶棒、箱棒、スライダーの各寸法が設定されているだけであり、蝶棒の挿入が不十分なために左右のエレメント列が不正に噛み合うことを考慮して蝶棒等の寸法を厳密に設定することはなされていなかった。従って、蝶棒の挿入が不十分な状態でスライダーをエレメント噛合方向に摺動させてしまうと、ファスナーエレメントが弾性変形して左右のエレメント列が不正な位置で強制的に噛み合わされるという問題があった。【００３５】
そこで、本発明者等は、上開きタイプ又は両開きタイプのスライドファスナーにおいて、蝶棒の挿入が不十分のときにスライダーを摺動させても左右のエレメント列が不正に噛み合うことを防止するためには、蝶棒の挿入が不十分な状態のときには左右のエレメント列を意図的に噛合させないように、同蝶棒をスライダーとともに移動させてしまえば良いことを発想し、本発明を完成させるに至った。【００３６】
即ち、本発明のスライドファスナーは、蝶棒、箱棒、及びスライダーの各寸法を上述のような所定の関係を満たすように設定したことにより、左右のエレメント列を噛合するときに蝶棒の挿し込みが不十分であった場合にスライダー（上スライダー）を噛合方向に摺動させても、蝶棒がスライダーのエレメント案内路を通過することを防いで、同スライダーが蝶棒とともに噛合方向に移動するように構成されている。【００３７】
これにより、本発明のスライドファスナーでは、蝶棒の挿し込みが不十分のときにスライダーを噛合方向に摺動させても、左右のエレメント列を意図的に噛合させないため、従来のスライドファスナーのような左右エレメント列の不正な噛み合わせに起因して噛合強度が低下することや突き上げ力に対して弱くなることを確実に防止できる。【００３８】
そして、本発明のスライドファスナーを使用する使用者は、蝶棒の挿し込みが不十分のときには左右エレメント列が噛合しないため、蝶棒の挿し込みが不十分であることに即座に気が付き、蝶棒を再び操作して箱体等に確実に挿し込んだ状態でスライダーを摺動させ、左右のエレメント列を適正に安定して噛合させることができる。【００３９】
本発明のスライドファスナーでは、左右エレメント列に、上スライダーと下スライダーの２つのスライダーが、互いの後口同士を対向させる向きで挿通されており、且つ、箱棒におけるエレメント列側とは反対の端部に、スライダーを停止させるストッパーが配されている。これにより、本発明のスライドファスナーを両開きタイプのスライドファスナーとして構成することができる。【００４０】
また、本発明のスライドファスナーでは、左右エレメント列に、１つのスライダーが挿通されており、且つ、箱棒におけるエレメント列側とは反対の端部に、蝶棒を挿入可能な箱体が配されていても良い。これにより、本発明のスライドファスナーを上開きタイプのスライドファスナーとして構成することができる。【００４１】
更に、本発明のスライドファスナーにおける箱棒は、蝶棒の張出部に向けて突出する突出部を有し、張出部は、その突出部を嵌入可能な嵌入凹部を有し、突出部が嵌入凹部に嵌入した状態で、突出部のエレメント列側の端部が、蝶棒の前記寸法Ｅの範囲内に位置している。これにより、本発明のスライドファスナーは、左右のエレメント列を噛合させるときに、蝶棒と箱棒の位置合わせを確実に行うことができるとともに、エレメント列の噛合時に箱棒及び蝶棒に表裏方向の突き上げ力が加わっても、箱棒と蝶棒の位置が表裏方向に変位することを防止して、エレメント列の噛合状態を安定して維持することができる。【００４２】
更にまた、本発明のスライドファスナーにおける箱棒は、蝶棒の張出部と対面する箇所よりも下端側のテープ幅方向の寸法が、前記寸法Ｃよりも大きく設定されている。これにより、張出部を有する蝶棒を、例えば逆開き用のスライダー又は箱体に挿入する際に、蝶棒の張出部よりも下端側の部分が挿入される空間を箱棒で制限することができる。従って、同蝶棒を所定の位置まで円滑に案内できるとともに、左右のエレメント列を噛合させる前の蝶棒と箱棒の相対的な位置関係を安定して維持することができるため、左右のエレメント列が不正に噛み合うことをより確実に防止できる。
【図面の簡単な説明】
【００４３】
【図１】図１は、本発明の実施例１に係るスライドファスナーの正面図である。
【図２】図２は、同スライドファスナーにおける蝶棒を拡大して示した要部斜視図である。
【図３】図３は、同スライドファスナーにおける箱棒を拡大して示した要部斜視図である。
【図４】図４は、同スライドファスナーにおける蝶棒と箱棒の寸法を示す要部各拡大図である。
【図５】図５は、同スライドファスナーにおけるエレメントのピッチと噛合頭部との関係を説明する説明図である。
【図６】図６は、同スライドファスナーにおいて左右のエレメント列が噛合した状態を示す要部断面図である。
【図７】図７は、同スライドファスナーにおいて蝶棒の挿し込みが不十分な状態を示す要部断面図である。
【図８】図８は、同スライドファスナーにおいて蝶棒の挿し込みが不十分な状態で第１スライダーをエレメント噛合方向に摺動させたときの状態を示す要部断面図である。
【図９】図９は、本実施例２のスライドファスナーの要部を断面で示す要部断面図である。
【図１０】図１０は、蝶棒の挿し込みが不十分な状態でスライダーをエレメント噛合方向に摺動させたときの状態を示す要部断面図である。
【図１１】図１１は、本実施例３のスライドファスナーの要部を断面で示す要部断面図である。
【図１２】図１２は、同スライドファスナーにおける蝶棒を拡大して示した要部斜視図である。
【図１３】図１３は、同スライドファスナーにおける箱棒を拡大して示した要部斜視図である。
【図１４】図１４は、同スライドファスナーの蝶棒とスライダーの停止爪との関係を説明する説明図である。
【図１５】図１５は、従来のスライドファスナーの要部を示す要部断面図である。
【図１６】図１６は、従来のスライドファスナーにおいて左右のファスナーエレメントが不正に噛み合わされた状態を示す要部拡大図である。
【図１７】図１７は、従来のスライドファスナーにおいて左右のファスナーエレメントが不正に噛み合わされた別の状態を示す要部拡大図である。
【符号の説明】
【００４４】
１０                スライドファスナー
１１                ファスナーストリンガー
１２                ファスナーテープ
１３                エレメント列
１４                補強部
１５                ファスナーエレメント
１５ａ              噛合頭部
１５ｂ              上脚部
１５ｃ              下脚部
１５ｄ              連結部
１５ｅ              芯紐
２１ａ              第１スライダー
２１ｂ              第２スライダー
２２                上翼板
２３                下翼板
２４                フランジ部
２５                案内柱
２６                引手取付柱
２７                引手
２８                後口
２９                肩口
３０                停止爪
３１                蝶棒
３１ａ              蝶棒本体
３１ｂ              張出部
３１ｃ              嵌入凹部
３１ｄ              係着段部
３１ｅ              挿入片
３２，３２’        箱棒
３２ａ，３２ａ’    箱棒本体
３２ｂ              ストッパー
３２ｃ，３２ｃ’    突出部
３２ｄ              凹欠き部
３３                上止
３４                箱体
３４ａ              蝶棒挿入孔
４０                スライドファスナー
５０                スライドファスナー
５１                蝶棒
５１ａ              蝶棒本体
５１ｂ              張出部
５１ｃ              嵌入凹部
５１ｄ              第１切欠き部
５１ｅ              挿入片
５２                箱棒
５２ａ              箱棒本体
５２ｂ              ストッパー
５２ｃ              突出部
５２ｄ              第２切欠き部
【発明を実施するための最良の形態】
【００４５】
以下、本発明を実施するための最良の形態について、実施例を挙げて図面を参照しながら詳細に説明する。なお、本発明は、以下で説明する各実施例に何ら限定されるものではなく、本発明と実質的に同一な構成を有し、かつ、同様な作用効果を奏しさえすれば、多様な変更が可能である。【００４６】
例えば、下記の各実施例では、ファスナーテープの対向する側縁部にコイル状のファスナーエレメントが縫着されてエレメント列が形成されているが、本発明はこれに限定されず、コイル状のファスナーエレメントの代わりにジグザグ状のファスナーエレメントを縫着してエレメント列を形成することも可能である。
【実施例１】
【００４７】
図１は、本発明の実施例１に係るスライドファスナーの正面図であり、図２は、同スライドファスナーにおける蝶棒を拡大して示した要部斜視図であり、図３は、同スライドファスナーにおける箱棒を拡大して示した要部斜視図である。また、図４は、同スライドファスナーにおける蝶棒と箱棒の寸法を示す要部各拡大図であり、図５は、同スライドファスナーにおけるエレメントのピッチと噛合頭部との関係を説明する説明図である。【００４８】
本実施例１に係るスライドファスナー１０は、例えばロングコートなどの左右前身頃が開閉する衣類等に使用されるスライドファスナーである。同スライドファスナー１０は、左右一対のファスナーテープ１２の対向する側縁部にエレメント列１３を有するファスナーストリンガー１１と、ファスナーテープ１２の下端部を補強する補強部１４と、左右のエレメント列１３に挿通された上開き用の第１スライダー（上スライダー）２１ａ及び逆開き用の第２スライダー（下スライダー）２１ｂと、左側のファスナーストリンガー１１の下端部に取着された合成樹脂製の蝶棒３１と、右側のファスナーストリンガー１１の下端部に取着された合成樹脂製の箱棒３２と、左右のエレメント列１３の上端に取着された上止３３とを有している。【００４９】
前記ファスナーストリンガー１１は、織製又は編製された左右一対のファスナーテープ１２と、同ファスナーテープ１２の対向するテープ側縁部に取着されたエレメント列１３とを有している。前記エレメント列１３は、ポリアミドやポリエステル等の合成樹脂製のモノフィラメントから成形されたコイル状の連続ファスナーエレメント１５により形成されている。【００５０】
各ファスナーエレメント１５は、噛合頭部１５ａと、噛合頭部１５ａからファスナーテープ１２上へ平行に延設された上下脚部１５ｂ，１５ｃと、上下脚部１５ｂ，１５ｃの各延端部をテープ長手方向（前後方向）に隣接するエレメントと連結する連結部１５ｄとを有しており、コイル状ファスナーエレメント１５の内部に芯紐１５ｅを挿通して、下脚部１５ｃをファスナーテープ１５側に配した状態で、上下脚部１５ｂ，１５ｃと芯紐１５ｅとをテープ側縁部に縫糸を用いて縫着することによってファスナーテープ１２に取り付けられている。
前記補強部１４は、樹脂製フィルム（例えば熱可塑性エラストマーフィルム）をファスナーテープ１２の表裏面に包被して超音波溶着することによって形成されている。【００５１】
前記第１及び第２スライダー２１ａ，２１ｂは、従来から一般的に知られているものを使用することができる。具体的には、第１及び第２スライダー２１ａ，２１ｂは、上翼板２２と、下翼板２３と、上下翼板２２，２３の左右側端縁に沿って直交方向（互いに近づく方向）に配された上下フランジ部２４と、上下翼板２２，２３の一端側中央部を所定の間隔をもって連結する案内柱２５と、上翼板２２に配され、エレメント列１３に係合可能な停止爪３０と、上翼板２２の上面に配された門型の引手取付柱２６と、同引手取付柱２６に前後方向に回動可能に取り付けられる引手２７とを有している。なお、本発明において、例えばファスナーの種類によっては、フランジ部２４が上下翼板２２，２３のどちらか一方のみに形成されることもある。【００５２】
また、第１及び第２スライダー２１ａ，２１ｂの他端（後端部）側には後口２８を有するとともに、同第１及び第２スライダー２１ａ，２１ｂの一端側における案内柱２５の左右両側には肩口２９を有している。更に、第１及び第２スライダー２１ａ，２１ｂの内部には、上下翼板２２，２３と上下フランジ部２４とにより包囲されたエレメント案内路が形成されている。このエレメント案内路は、スライダーの後口２８から肩口２９に向けて案内柱２５によって２股に分岐して、同スライダー内をＹ字状に貫いている。更にまた、前記停止爪３０は、スライダー２１ａ，２１ｂの摺動操作が行われないときには、スライダー２１ａ，２１ｂの上翼板２２からエレメント案内路内に突出し、また、引手２７が引っ張れれてスライダー２１ａ，２１ｂが摺動するときには、エレメント案内路から退避することが可能なように配されている。【００５３】
これらの第１及び第２スライダー２１ａ，２１ｂは、互いの後口２８が対向するようにエレメント列１３に挿通されている。また、第１及び第２スライダー２１ａ，２１ｂがエレメント列１３の上端から脱落することを防止するために、左右のエレメント列１３の上端に前記上止３３が成形により固着されている。【００５４】
前記蝶棒３１は、図２に示したように、左側ファスナーストリンガー１１の下端部に、左側のエレメント列１３の下端から連続するように固着一体化されている。同蝶棒３１は、略角柱状の蝶棒本体３１ａと、蝶棒本体３１ａのエレメント列１３側の端部領域に箱棒３２に向けて張り出した張出部３１ｂと、同張出部３１ｂに凹設され、後述する箱棒３２の突出部３２ｃを嵌入可能な嵌入凹部３１ｃと、蝶棒本体３１ａの上面側（第２スライダー２１ｂの上翼板２２と対面する側）に形成され、第２スライダー２１ｂの停止爪３０を係着可能な係着段部３１ｄと、張出部３１ｂの先端部から上方に突出した挿入片３１ｅとを有している。なお、前記張出部３１ｂが形成される端部領域とは、蝶棒３１のテープ長さ方向の中央よりもエレメント列１３側の領域である。【００５５】
前記箱棒３２は、図３に示したように、右側ファスナーストリンガー１１の下端部に、右側のエレメント列１３の下端から連続するように固着一体化されている。同箱棒３２は、箱棒本体３２ａと、箱棒本体３２ａの下端部で、蝶棒３１と対面する側とは反対側に形成されたフック状のストッパー３２ｂと、箱棒本体３２ａの蝶棒３１に対向する側面から蝶棒３１に向けて突設された上面視で台形状の突出部３２ｃとを有している。なお、箱棒本体３２ａの下端部には、第２スライダー２１ｂを下端位置まで移動させたときに同第２スライダー２１ｂの案内柱２５との干渉を防ぐため（例えば図６を参照）、蝶棒３１と対向する側縁に小さな凹欠き部３２ｄが形成されている。【００５６】
このような本実施例１のスライドファスナー１０において、図４及び図８に示したように、スライダー２１ａ，２１ｂの後口側端部における左右のフランジ部２４の内面間の間隔をＡとし、蝶棒３１のテープ幅方向における寸法の最大値をＢと規定した場合、スライダーの前記間隔Ａと蝶棒３１の前記最大値Ｂとの差（間隔Ａ−最大値Ｂ）が、「蝶棒３１の最大値Ｂを有する部位に対応する箱棒３２側の部位のテープ幅方向における寸法Ｃ＜（間隔Ａ−最大値Ｂ）＜ファスナーエレメント１５のエレメント幅Ｄ」といった第１の関係を満たすように設定されている。この場合、箱棒３２において、蝶棒３１の張出部３１ｂと対面する箇所よりも下端側のテープ幅方向の寸法は、前記寸法Ｃよりも大きく設定されている。【００５７】
また、本実施例１のスライドファスナー１０は、蝶棒３１の前記最大値Ｂが前記エレメント幅Ｄよりも小さくなるように、即ち、最大値Ｂ＜エレメント幅Ｄといった第２の関係を満たすように設定されている。【００５８】
更に、本実施例１のスライドファスナー１０は、蝶棒３１の張出部３１ｂが形成されている端部領域のうち、同蝶棒３１のテープ幅方向の寸法が間隔Ａとエレメント幅Ｄとの差（間隔Ａ−エレメント幅Ｄ）よりも大きい領域におけるテープ長さ方向の寸法をＥと規定し（図４を参照）、エレメント列１３におけるファスナーエレメント１５の３ピッチ分の長さをＦと規定し、更に、「（エレメントの３ピッチ分の長さＦ）−（ファスナーエレメント１５の噛合頭部１５ａにおけるテープ長さ方向の寸法）×３」の大きさをＨと規定したときに（図５を参照）、「寸法Ｅ＞大きさＨ」といった第３の関係を満たすように設定されている。なお、ファスナーエレメント１５のピッチとは、ファスナーエレメント１５の噛合頭部のテープ長さ方向における中心と、同ファスナーエレメント１５に隣接するファスナーエレメント１５の噛合頭部のテープ長さ方向における中心との間の距離（間隔）である。【００５９】
以上のような構成を有する本実施例１のスライドファスナー１０において、左右のエレメント列１３を噛合させる場合、先ず、右側のエレメント列１３に挿通されている第１及び第２スライダー２１ａ，２１ｂを、それぞれのスライダー２１ａ，２１ｂの下端位置（エレメント分離方向の末端位置）まで摺動させる。このとき、箱棒３２には前記ストッパー３２ｂが形成されているため、第１及び第２スライダー２１ａ，２１ｂをエレメント分離方向である下方に向けて摺動させても、同スライダーがエレメント列１３から脱落することを防止できる。【００６０】
なお、この場合、第２スライダー２１ｂの下端位置とは、第２スライダー２１ｂの上下フランジ部２４がストッパー３２ｂに当接したときの同第２スライダー２１ｂの位置であり、第１スライダー２１ａの下端位置とは、下端位置に配された第２スライダー２１ｂに、第１スライダー２１ａの後端が当接したときの同第１スライダー２１ａの位置である。【００６１】
続いて、下端位置まで移動した第２スライダー２１ｂに蝶棒３１を挿し込む。具体的には、第１スライダー２１ａの後口側端部と第２スライダー２１ｂの後口側端部とを接触させた状態で、第１スライダー２１ａの左側肩口２９から蝶棒３１を挿し入れ、同第１スライダー２１ａのエレメント案内路を介して、蝶棒３１を第２スライダー２１ｂのエレメント案内路内に完全に挿し込む。【００６２】
これにより、蝶棒３１が箱棒３２と略平行な状態で第２スライダー２１ｂ内に保持される。このとき、箱棒３２の突出部３２ｃが蝶棒３１の嵌入凹部３１ｃに嵌入し、突出部３２ｃのエレメント列１３側の端部が嵌入凹部３１ｃ内で蝶棒３１の一部に当接することにより、蝶棒３１と箱棒３２の位置が合わせられる。特にこの場合、突出部３２ｃが嵌入凹部３１ｃ内に嵌入した状態において、突出部３２ｃのエレメント列１３側の端部は、前記蝶棒３１の寸法Ｅの範囲内に位置している。このため、蝶棒３１と箱棒３２の位置決めも確実に行われる。その後、第１スライダー２１ａをエレメント噛合方向である上方に向けて摺動させることにより、図６に示すように、左右のエレメント列１３を安定して噛合させることができる。【００６３】
特にこの場合、本実施例１のスライドファスナー１０では、蝶棒３１を第１スライダー２１ａの左側肩口２９から第２スライダー２１ｂ内に挿し込む際に、前記第２の関係から、蝶棒３１のテープ幅方向における寸法の最大値Ｂがエレメント列１３のエレメント幅Ｄよりも小さく設定されているため、エレメント列１３を挿通可能なスライダー２１ａ，２１ｂのエレメント案内路内に蝶棒３１を容易に通すことができ、蝶棒３１の挿し込みを円滑に行うことができる。【００６４】
また、蝶棒３１を第２スライダー２１ｂ内に挿し込んだ後、第１スライダー２１ａをエレメント噛合方向に摺動させる際に、前記第１の関係から、前記（間隔Ａ−最大値Ｂ）が、箱棒３２の前記寸法Ｃよりも大きく設定されているため、即ち、スライダーの前記間隔Ａが蝶棒３１の前記最大値Ｂと箱棒３２の前記寸法Ｃとの和よりも大きく設定されているため、蝶棒３１が第２スライダー２１ｂ内に完全に挿し込まれていれば、第１スライダー２１ａをエレメント噛合方向に円滑に摺動させて左右のエレメント列１３を噛合させることができる。【００６５】
次に、同スライドファスナー１０における左右のエレメント列１３を噛合させる際に、例えば図７に示したように、第２スライダー２１ｂ内に蝶棒３１が完全に挿し込まれてなく、蝶棒３１の挿し込みが不十分な状態で第１スライダー２１ａを噛合方向に摺動させた場合について説明する。【００６６】
この場合、図８に示したように、前記第１の関係から、前記（間隔Ａ−最大値Ｂ）がエレメント幅Ｄよりも小さく設定されているため、即ち、スライダーの前記間隔Ａが蝶棒３１の前記最大値Ｂとエレメント幅Ｄとの和よりも小さく設定されているため、第１スライダー２１ａを噛合方向に向けて長さＧの距離で摺動させたときに、蝶棒３１の張出部３１ｂと右側のエレメント列１３とが接触して干渉するとともに、蝶棒３１のファスナーテープ１２側の側面がスライダーの左フランジ部２４に接触する。その結果、蝶棒３１が、箱棒３２に対して傾斜した状態で保持され、蝶棒３１が第１スライダー２１ａ内を挿通することが妨げられる。【００６７】
更に、蝶棒３１の張出部３１ｂと右側のエレメント列１３が接触した状態から第１スライダー２１ａを噛合方向に摺動させようとすると、同スライドファスナー１０の前記第３の関係から、蝶棒３１の前記寸法Ｅがエレメント列１３における前記大きさＨよりも大きく設定されているため、例えば図５に示すように右側のエレメント列１３の隣接する２つのファスナーエレメント１５が互いに離間する方向に弾性変形したとしても、蝶棒３１の張出部３１ｂがファスナーエレメント１５の弾性変形により生じた間隙に入り込むことを防止して、同張出部３１ｂと右側のエレメント列１３が不正に噛み合うことを確実に防ぐことができる。【００６８】
従って、第２スライダー２１ｂに不十分に挿し込まれた蝶棒３１は、第１スライダー２１ａが噛合方向に摺動すると、第１スライダー２１ａ内を挿通することが妨げられ、且つ、右側のエレメント列１３に噛み合うことも防がれる結果、その行き場を失うため、同蝶棒３１は第１スライダー２１ａに挿入された状態で第１スライダー２１ａと一緒に上方に移動する。【００６９】
即ち、本実施例１のスライドファスナー１０では、蝶棒３１が第２スライダー２１ｂに不十分に挿し込まれた状態で第１スライダー２１ａをエレメント噛合方向に摺動させても、蝶棒３１が第１スライダー２１ａと一緒に上方に移動するため、左右のエレメント列１３を意図的に噛合させなくすることができる。その結果、従来のスライドファスナーにおいて問題とされていた左右エレメント列１３の不正な噛み合わせに起因して噛合強度が低下することや、突き上げ力に対して弱くなることを確実に防止することができる。【００７０】
また、本実施例１のスライドファスナー１０を使用する使用者は、蝶棒３１の挿し込みが不十分であった場合に、左右のエレメント列１３が噛合せずに蝶棒３１が第１スライダー２１ａと一緒に移動するため、蝶棒３１の挿し込みが不十分であることに瞬間的に気付くことができる。このため、使用者は、蝶棒３１を再び操作して第２スライダー２１ｂに確実に挿し込んだ状態で第１スライダー２１ａを摺動させて、左右のエレメント列１３を適正に噛合させることができる。
【実施例２】
【００７１】
次に、本発明の実施例２に係るスライドファスナーについて説明する。
ここで、図９は、本実施例２のスライドファスナーの要部を断面で示す要部断面図であり、図１０は、蝶棒の挿し込みが不十分な状態でスライダーを噛合方向に摺動させたときの状態を示す要部断面図である。【００７２】
本実施例２に係るスライドファスナー４０は、前述の実施例１のスライドファスナー１０における逆開き用第２スライダー（下スライダー）２１ｂを用いる代わりに、箱棒３２’に箱体３４を一体に形成して、蝶棒３１、箱棒３２’、箱体３４によって開離嵌挿具を構成した開離嵌挿具付きのスライドファスナーである。【００７３】
従って、同スライドファスナー４０において、前述の実施例１の第２スライダー２１ｂの代わりに箱体３４を設けたこと以外の構成は、前述の実施例１と同様である。このため、前記実施例１で説明した部品又は部材と同様の構成を有するものについては、同じ符号を用いて表すことによってその説明を省略する。【００７４】
本実施例２のスライドファスナー４０は、左右一対のファスナーテープ１２の対向する側縁部にエレメント列１３を有するファスナーストリンガー１１と、ファスナーテープ１２の下端部を補強する補強部１４と、左右のエレメント列１３に挿通された図示しない単一の第１スライダー２１ａと、左側のエレメント列１３の下端部に取着された蝶棒３１と、右側のエレメント列１３の下端部に取着された箱棒３２’と、箱棒３２’と一体に形成された合成樹脂製の箱体３４と、左右のエレメント列１３の上端に取着された図示しない上止３３とを有している。【００７５】
前記箱棒３２’は、ファスナーストリンガー１１の下端部に、右側のエレメント列１３の下端から連続するように固着一体化されている。同箱棒３２’は、箱棒本体３２ａ’と、箱棒本体３２ａ’の蝶棒３１に対向する側面から蝶棒３１に向けて突設された上面視で台形状の突出部３２ｃ’とを有している。
前記箱体３４は、箱棒３２’の下半部に矩形状に配設されており、同箱体３４の内部に蝶棒３１を挿し込むことが可能な蝶棒挿入孔３４ａが形成されている。【００７６】
なお、本実施例２のスライドファスナー４０において、図示しない第１スライダー２１ａの後口側端部における左右のフランジ部２４の内面間の間隔Ａ、蝶棒３１のテープ幅方向における寸法の最大値Ｂ、蝶棒３１の最大値Ｂを有する部位に対応する箱棒側部位のテープ幅方向における寸法Ｃ、エレメント列１３のエレメント幅Ｄ、蝶棒３１のテープ幅方向の寸法が間隔Ａとエレメント幅Ｄとの差（間隔Ａ−エレメント幅Ｄ）よりも大きい領域におけるテープ長さ方向の寸法Ｅ、及び、（エレメントの３ピッチ分の長さＦ）−（ファスナーエレメント１５の噛合頭部１５ａにおけるテープ長さ方向の寸法）×３の大きさＨについての関係は、前述の実施例１と同様に設定されている。【００７７】
以上のような構成を有する本実施例２のスライドファスナー４０においても、前述の実施例１と同様の作用効果が得られる。
即ち、同スライドファスナー４０の左右のエレメント列１３を噛合させる場合、先ず、右側のエレメント列１３に挿通されているスライダー２１ａを箱体３４に当接する下端位置まで摺動させ、続いて、同スライダー２１ａの左側肩口２９から蝶棒３１を挿し入れ、同蝶棒３１を箱体３４の蝶棒挿入孔３４ａ内に完全に挿し込む。これにより、蝶棒３１が箱棒３２’と略平行な状態で保持される。その後、スライダー２１ａをエレメント噛合方向である上方に向けて摺動させることにより、図９に示すように、左右のエレメント列１３を安定して噛合させることができる。【００７８】
一方、左右のエレメント列１３を噛合する際に箱体３４内に蝶棒３１が完全に挿し込まれてなく、蝶棒３１の挿し込みが不十分な状態でスライダー２１ａをエレメント噛合方向に向けて長さＧの距離で摺動させた場合、図１０に示したように、蝶棒３１の張出部３１ｂと右側のエレメント列１３が接触して干渉するとともに、蝶棒３１のファスナーテープ１２側の側面がスライダー２１ａの左フランジ部２４に接触する。その結果、蝶棒３１が箱棒３２’に対して傾斜した状態で保持され、蝶棒３１がスライダー２１ａ内を挿通することが妨げられる。【００７９】
更に、蝶棒３１の張出部３１ｂと右側のエレメント列１３が接触した状態からスライダー２１ａをエレメント噛合方向に摺動させると、箱体３４内に不十分に挿し込まれた蝶棒３１は、スライダー内を挿通することが妨げられ、且つ、右側のエレメント列１３と噛み合うことも防がれるため、同蝶棒３１はスライダー２１ａに挿入された状態で同スライダー２１ａと一緒に上方に移動する。これにより、左右のエレメント列１３を意図的に噛合させなくすることができ、左右エレメント列１３の不正な噛み合わせに起因して噛合強度が低下することや、突き上げ力に対して弱くなることを確実に防止できる。
【実施例３】
【００８０】
次に、本発明の実施例３に係るスライドファスナーについて説明する。
ここで、図１１は、本実施例３のスライドファスナーの要部を断面で示す要部断面図であり、図１２は、同スライドファスナーにおける蝶棒を拡大して示した要部斜視図であり、図１３は、同スライドファスナーにおける箱棒を拡大して示した要部斜視図である。また、図１４は、同スライドファスナーの蝶棒とスライダーの停止爪との関係を説明する説明図である。【００８１】
本実施例３に係るスライドファスナー５０は、前述の実施例１のスライドファスナー１０とは蝶棒５１と箱棒５２の関係を左右反対にして形成されており、蝶棒５１を第１スライダー２１ａの右側肩口２９から第２スライダー２１ｂのエレメント案内路内に挿し込むことが可能なスライドファスナーである。なお、本実施例３においても、前記実施例１で説明した部品又は部材と同様の構成を有するものについては、同じ符号を用いて表すことによってその説明を省略する。【００８２】
本実施例３のスライドファスナー５０は、左右一対のファスナーテープ１２の対向する側縁部にエレメント列１３を有するファスナーストリンガー１１と、ファスナーテープ１２の下端部を補強する補強部１４と、左右のエレメント列１３に挿通された上開き用の第１スライダー（上スライダー）２１ａ及び逆開き用の第２スライダー（下スライダー）２１ｂと、右側のファスナーストリンガー１１の下端部に取着された合成樹脂製の蝶棒５１と、左側のファスナーストリンガー１１の下端部に取着された合成樹脂製の箱棒５２と、左右のエレメント列１３の上端に取着された図示しない上止３３とを有している。
前記第１及び第２スライダー２１ａ，２１ｂは、前述の実施例１と同様に、停止爪３０を有する従来から一般的に知られているスライダーを使用することができる。【００８３】
前記蝶棒５１は、右側のエレメント列１３の下端から連続するように固着一体化されており、略角柱状の蝶棒本体５１ａと、蝶棒本体５１ａのエレメント列１３側の端部領域に箱棒５２に向けて張り出した張出部５１ｂと、同張出部５１ｂに凹設され、後述する箱棒５２の突出部５２ｃを嵌入可能な嵌入凹部５１ｃと、張出部５１ｂの上面側に形成される第１切欠き部５１ｄと、張出部５１ｂの先端部から上方に突出した挿入片５１ｅとを有している。【００８４】
前記箱棒５２は、左側のエレメント列１３の下端から連続するように固着一体化されており、箱棒本体５２ａと、箱棒本体５２ａの下端部に形成されたフック状のストッパー５２ｂと、箱棒本体５２ａの蝶棒５１に対向する側面から蝶棒５１に向けて突設された上面視で台形状の突出部５２ｃと、箱棒本体５２ａの上面側に形成され、第２スライダー２１ｂの停止爪３０を係着可能な第２切欠き部５２ｄとを有している。【００８５】
なお、本実施例３のスライドファスナー５０においても、第１スライダー２１ａの後口側端部における左右のフランジ部２４の内面間の間隔Ａ、蝶棒５１のテープ幅方向における寸法の最大値Ｂ、蝶棒５１の最大値Ｂを有する部位に対応する箱棒５２側の部位のテープ幅方向における寸法Ｃ、エレメント列１３のエレメント幅Ｄ、蝶棒５１のテープ幅方向の寸法が間隔Ａとエレメント幅Ｄとの差（間隔Ａ−エレメント幅Ｄ）よりも大きい領域におけるテープ長さ方向の寸法Ｅ、及び、（エレメントの３ピッチ分の長さＦ）−（ファスナーエレメント１５の噛合頭部１５ａにおけるテープ長さ方向の寸法）×３の大きさＨについての関係は、前述の実施例１と同様に設定されている。【００８６】
ここで、張出部５１ｂにおけるエレメント列１３側の端部から第１切欠き部５１ｄまでの長さは、前述のテープ長さ方向の寸法Ｅと同じ長さに、又は、同寸法Ｅよりも長く設定されていることが好ましい。【００８７】
以上のような構成を有する本実施例３のスライドファスナー５０においても、前述の実施例１と同様の作用効果が得られる。
即ち、同スライドファスナー５０の左右のエレメント列１３を噛合させる場合、先ず、左側のエレメント列１３に挿通されている第１及び第２スライダー２１ａ，２１ｂを、第２スライダー２１ｂが箱棒５２のストッパー５２ｂに当接する下端位置まで摺動させる。続いて、第１スライダー２１ａの右側肩口２９から蝶棒５１を挿し入れ、同第１スライダー２１ａのエレメント案内路を介して、蝶棒５１を第２スライダー２１ｂのエレメント案内路内に完全に挿し込む。【００８８】
このとき、蝶棒５１を第１スライダー２１ａの右側肩口２９から第２スライダー２１ｂのエレメント案内路内に挿し込む際に、蝶棒５１の張出部５１ｂと第１スライダー２１ａの停止爪３０とが接触するものの（図１１を参照）、第１スライダー２１ａの停止爪３０は、図１４に示すように、蝶棒５１の張出部５１ｂに形成された第１切欠き部５１ｄに導入され、その後、蝶棒５１の張出部５１ｂの上面部に当接すると、同張出部５１ｂによって持ち上げられてエレメント案内路から退避する（図１４の仮想線を参照）。このため、蝶棒５１の挿し込みが、第１スライダー２１ａの停止爪３０によって妨げられることはない。【００８９】
そして、蝶棒５１を第１スライダー２１ａの右側肩口２９から第２スライダー２１ｂのエレメント案内路内に完全に挿し込むことにより、蝶棒５１が箱棒５２と略平行な状態で保持される。その後、第１スライダー２１ａをエレメント噛合方向である上方に向けて摺動させることにより、左右のエレメント列１３を安定して噛合させることができる。【００９０】
一方、左右のエレメント列１３を噛合させる際に第２スライダー２１ｂのエレメント案内路内に蝶棒５１が完全に挿し込まれてなく、蝶棒５１の挿し込みが不十分な状態で第１スライダー２１ａをエレメント噛合方向に向けて摺動させた場合、蝶棒５１の張出部５１ｂと左側のエレメント列１３が接触して干渉するとともに、蝶棒５１のファスナーテープ１２側の側面がスライダーの右側のフランジ部２４に接触する。【００９１】
その結果、蝶棒５１が箱棒５２に対して傾斜した状態で保持され、蝶棒５１がスライダー内を挿通することが妨げられる。また、同蝶棒５１の張出部５１ｂが、左側のエレメント列１３と不正に噛み合うことも防ぐことができる。従って、同蝶棒５１はスライダーに挿入された状態でスライダーと一緒に上方に移動するため、左右のエレメント列１３を意図的に噛合させなくすることができる。これにより、左右エレメント列１３の不正な噛み合わせに起因して噛合強度が低下することや、突き上げ力に対して弱くなることを防止できる。
【図１】
2010041303.tif 000003
【図２】
2010041303.tif 000004
【図３】
2010041303.tif 000005
【図４】
2010041303.tif 000006
【図５】
2010041303.tif 000007
【図６】
2010041303.tif 000008
【図７】
2010041303.tif 000009
【図８】
2010041303.tif 000010
【図９】
2010041303.tif 000011
【図１０】
2010041303.tif 000012
【図１１】
2010041303.tif 000013
【図１２】
2010041303.tif 000014
【図１３】
2010041303.tif 000015
【図１４】
2010041303.tif 000016
【図１５】
2010041303.tif 000017
【図１６】
2010041303.tif 000018
【図１７】
2010041303.tif 000019
【国際調査報告】
2010041303.tif 000020
2010041303.tif 000021
2010041303.tif 000022
2010041303.tif 000023